(57)【要約】【課題】接着剤により綴じるカレンダー帳において、１年間使用しても反りが発生しないようにする。【解決手段】複数枚のカレンダー紙片を重ね合わせた重紙片Ａの上辺部８に、穿設機構Ｄにより所定間隔毎に綴じ孔９を穿設し、該重紙片Ａの上辺部８の表裏部に、上方から折り曲げた状態の背台紙７を接着剤Ｓにより貼設する構成において、上辺部８の裏面と背台紙７の間、及び上辺部８の表面と背台紙７の間、及び、綴じ孔９の内部に連続的に接着剤Ｓを投入し、固結状態の接着剤Ｓのみを取り出した場合に、梯子状を構成するようにした。【選択図】図１１
2005088230.tif 000002
【特許請求の範囲】
【請求項１】
複数枚のカレンダー紙片を重ね合わせた重紙片Ａの上辺部８に、穿設機構Ｄにより所定間隔毎に綴じ孔９を穿設し、該重紙片Ａの上辺部８の表裏部に、上方から折り曲げた状態の背台紙７を接着剤Ｓにより貼設する構成において、上辺部８の裏面と背台紙７の間、及び上辺部８の表面と背台紙７の間、及び、綴じ孔９の内部に連続的に接着剤Ｓを投入し、固結状態の接着剤Ｓのみを取り出した場合に、梯子状を構成するようにしたことを特徴とするカレンダー帳の自動綴じ装置。
【請求項２】
複数枚のカレンダー紙片を重ね合わせた重紙片Ａの上辺部８に、所定間隔毎に綴じ孔９を穿設機構Ｄにより穿設し、該重紙片Ａの上辺部８の裏面側に、折り返し部を上方に突出させた状態で背台紙７を背台紙供給機構Ｂにより供給し、該背台紙７の上辺部８との重合部分に、接着剤を投入する背台紙側接着剤投入機構Ｃを設け、更に背台紙７の上に上辺部８を載置した状態の該綴じ孔９に接着剤を投入する綴じ孔側接着剤投入機構Ｅを設け、該背台紙側接着剤投入機構Ｃと綴じ孔側接着剤投入機構Ｅからの接着剤を融合一体化した状態で、背台紙７の上方の折り返し部を上辺部８の表面側に折り返したことを特徴とするカレンダー帳の自動綴じ装置。
【請求項３】
複数枚のカレンダー紙片を重ね合わせた重紙片Ａの上辺部８に、穿設機構Ｄにより所定間隔毎に綴じ孔９を穿設し、該重紙片Ａの上辺部８の表裏部に、上方から折り曲げた状態の背台紙７を接着剤Ｓにより貼設する構成において、背台紙７を供給する背台紙供給機構Ｆを設け、該背台紙供給機構Ｆにおいては、背台紙７を重合して配置した重合背台紙Ｇが無くなると、次の列の重合背台紙Ｇを供給すべく構成し、連続的に背台紙７が供給されるようにしたことを特徴とするカレンダー帳の自動綴じ装置。
【発明の詳細な説明】
【技術分野】
【０００１】
本発明は、カレンダー帳の自動綴じ装置、特に、綴じ金具を使用することなく、複数枚のカレンダー紙片を重合させた重紙片の上辺部を、接着剤により綴じ合わせる機構に関する。
【背景技術】
【０００２】
従来、カレンダー帳の接着剤による自動綴じ装置に関する技術は公知とされている。
しかし、以下の特許文献１・２において開示されている従来技術においては、重紙片Ａの上辺部８に、折り曲げた状態の背台紙７を上方から被覆する状態で、上辺部８に穿設機構Ｄにより穿設した綴じ孔９に対して、表面側のみから綴じ孔側接着剤投入機構Ｅにより、接着剤Ｓを連続的に投入していたのである。
【特許文献１】特開平７−１５６５７４号公報
【特許文献２】特開平６−２６２８７８号公報
【発明の開示】
【発明が解決しようとする課題】
【０００３】
図１４はカレンダーが表側に折り曲げ変形した状態の斜視図。
図１５は従来のカレンダー帳の自動綴じ装置による固結接着剤Ｓの形状を示す図面。
図１６は従来の固結接着剤Ｓの変形した状態を示す図面である。
上記のように構成されていたカレンダー帳の自動綴じ装置においては、次のような不具合が発生していたのである。
即ち、従来のように、上辺部８に穿設した綴じ孔９の表面側のみから接着剤Ｓを線状に連続的に投入する方法を取って、該線状に連続的に綴じ孔９に投入した状態で、折り曲げた背台紙７の表側を、該接着剤Ｓの上に接着して延びた状態の接着剤Ｓのみを取り出すと、図１５の如く、片持ち支持状の梯子状態に接着剤Ｓが構成されたこととなるのである。
即ち、表側接着剤１２と綴じ孔接着剤１４と裏側不連続接着剤１３により、片持ち支持状となるのである。
【０００４】
カレンダー紙の左右の幅が３０〜４０センチまでの、通常のカレンダー紙の場合には、このような片持ち状の梯子状態の接着剤Ｓでも、大きな不具合は発生しないのであるが、カレンダー紙の幅が５０センチ以上の広幅に構成された場合には、図１６に示す如く、連続的に構成された接着剤Ｓが固結化収縮される場合において、表側接着剤１２に引きつけられるように、反り曲がってしまうのである。
この表側への収縮曲がり力が発生するのは、カレンダー紙の幅が狭い場合も広い場合も同じであるが、カレンダー紙の幅が狭い場合には、紙の力の方が勝る為に、反り返りが気になる程ではないのである。しかし、カレンダーの幅が広い場合には、この収縮曲がり力に対して、耐えきれず、図１４に示す如く、１年間、壁面に吊り下げている間に、表側接着剤１２の収縮力が勝って、カレンダーが前側に反り返ってしまうという不具合が発生するのである。
【０００５】
また、従来のカレンダー帳の自動綴じ装置においては、背台紙供給機構が設けられていたのであるが、該背台紙供給機構は、自動的に背台紙が供給されるようには構成されておらず、背台紙を重合させた状態の重合背台紙Ｇが無くなると、手動により供給する必要があったのである。
本発明は、この不具合を解消せんとするものである。
【課題を解決するための手段】
【０００６】
本発明は以上のような課題を解決する為に、次の如く構成したものである。
請求項１においては、複数枚のカレンダー紙片を重ね合わせた重紙片Ａの上辺部８に、穿設機構Ｄにより所定間隔毎に綴じ孔９を穿設し、該重紙片Ａの上辺部８の表裏部に、上方から折り曲げた状態の背台紙７を接着剤Ｓにより貼設する構成において、上辺部８の裏面と背台紙７の間、及び上辺部８の表面と背台紙７の間、及び、綴じ孔９の内部に連続的に接着剤Ｓを投入し、乾燥状態の接着剤Ｓのみを取り出した場合に、梯子状を構成するようにしたものである。
【０００７】
請求項２においては、複数枚のカレンダー紙片を重ね合わせた重紙片Ａの上辺部８に、所定間隔毎に綴じ孔９を穿設機構Ｄにより穿設し、該重紙片Ａの上辺部８の裏面側に、折り返し部を上方に突出させた状態で背台紙７を背台紙供給機構Ｂにより供給し、該背台紙７の上辺部８との重合部分に、接着剤を投入する背台紙側接着剤投入機構Ｃを設け、更に背台紙７の上に上辺部８を載置した状態の該綴じ孔９に接着剤を投入する綴じ孔側接着剤投入機構Ｅを設け、該背台紙側接着剤投入機構Ｃと綴じ孔側接着剤投入機構Ｅからの接着剤を融合一体化した状態で、背台紙７の上方の折り返し部を上辺部８の表面側に折り返したものである。
【０００８】
請求項３においては、複数枚のカレンダー紙片を重ね合わせた重紙片Ａの上辺部８に、穿設機構Ｄにより所定間隔毎に綴じ孔９を穿設し、該重紙片Ａの上辺部８の表裏部に、上方から折り曲げた状態の背台紙７を接着剤Ｓにより貼設する構成において、背台紙７を供給する背台紙供給機構Ｆを設け、該背台紙供給機構Ｆにおいては、背台紙７を重合して配置した重合背台紙Ｇが無くなると、次の列の重合背台紙Ｇを供給すべく構成し、連続的に背台紙７が供給されるようにしたものである。
【発明の効果】
【０００９】
本発明は、次のような効果を奏するものである。
請求項１及び２の如く構成したので、固着した接着剤Ｓのみを取り出した構造が、図１３に図示する如く、表側接着剤１２と綴じ孔接着剤１４と裏面側連続接着剤１５により、通常の両持ち型の梯子状に構成されるので、壁面に掛けた状態で、１年が経過したとしても、従来技術である図１４や図１６に示す如く、片持ち型の梯子状に構成された場合のように、表側へ収縮力により引きつけられて、カレンダー紙が変形する可能性が無くなったのである。
【００１０】
請求項３のことく、背台紙７の連続的な背台紙供給機構Ｆを構成したことにより、背台紙７が重合背台紙Ｇの状態で無くなったとしても、背台紙供給機構Ｆの機構により、次の重合背台紙Ｇを供給することが出来るので、オペレータはカレンダー帳の自動綴じ装置を停止することなく、連続的に作業を続行することが可能となったものである。
【発明を実施するための最良の形態】
【００１１】
次に実施の形態を添付の図面に従って説明する。
図１は本発明のカレンダー帳の自動綴じ装置の正面図。
図２は同じく本発明のカレンダー帳の自動綴じ装置の平面図。
図３は本発明の背台紙供給機構Ｆの平面図。
図４は同じく本発明の背台紙供給機構Ｆの上面図。
図５は同じく本発明の背台紙供給機構Ｆの側面図。
図６はカレンダー帳の自動綴じ装置の穿設機構Ｄの部分の正面図。
図７は穿設機構Ｄの部分の拡大側面断面図。
図８は裏側接着剤投入機構Ｂと綴じ孔側接着剤投入機構Ｅと穿設機構Ｄと背台紙供給機構Ｆの部分の拡大正面図。
図９は裏側接着剤投入機構Ｂを示す拡大側面図。
図１０は綴じ孔側接着剤投入機構Ｅを示す拡大側面図。
図１１は本発明のカレンダー帳の自動綴じ装置において、接着剤Ｓの投入の順序を示す図面。
図１２は裏側接着剤投入ノズル５と綴じ孔側接着剤投入ノズル４と、背台紙７と綴じ孔９と上辺部８の配置を示す斜視図。
図１３は本発明の接着剤Ｓの固まった状態を取り出した状態の斜視図。
【００１２】
カレンダー帳の自動綴じ装置は全体として、図１及び図２において図示するように構成されている。
カレンダー帳を構成する各月ごとのカレンダー紙を、重合させるカレンダー紙重合装置Ｋ。
該カレンダー紙重合装置Ｋにおいて重合したカレンダー紙の上辺部８を突き合わせた状態で、綴じ孔９を穿設し、かつミシン目３を入れる穿設装置Ｈ。
穿設装置Ｈのの後部の下方から、背台紙７を供給する背台紙供給機構Ｆ。
該背台紙供給機構Ｆから供給される背台紙７と、カレンダー紙重合装置Ｋから搬送されてくるカレンダー紙とを重合して、接着剤Ｓを投入する裏側接着剤投入機構Ｂと綴じ孔側接着剤投入機構Ｅ。
該裏側接着剤投入機構Ｂと綴じ孔側接着剤投入機構Ｅにより、接着剤Ｓを投入した後の背台紙７を折り曲げ線２に沿って折り曲げげる折り曲げ装置Ｌ。
該折り曲げ装置Ｌの後部で、背台紙７を折り曲げて、上辺部８の部分の接着剤Ｓを封入した状態で、押圧して搬送するローラー搬送装置Ｍである。
【００１３】
次に図３と図４と図５において、本発明の背台紙供給機構Ｆの構成を説明する。
従来のカレンダー帳の自動綴じ装置の構成においては、該背台紙供給機構Ｆの部分は、重合背台紙Ｇを一山ずつ、オペレータが供給すべく構成されていたのである。
これに対して、本発明においては、背台紙供給機構Ｆが並列に配置した重合背台紙Ｇを自動的に、背台紙合流供給機構１６の部分に供給すべく構成している。
【００１４】
具体的な自動供給機構の構成は、図４に図示した搬送駆動モーター１８の駆動により搬送チェーンを駆動し、該搬送チェーンから突設した重合背台紙Ｇの搬送突起１７により７組の重合背台紙Ｇを背台紙合流供給機構１６に順次供給すべく構成している。そして、重合背台紙Ｇを、背台紙合流供給機構１６における重合背台紙Ｇが無くなった場合に、段階的に供給すべく構成している。
即ち、搬送駆動モーター１８と搬送突起１７の部分で横搬送機構を構成しており、背台紙合流供給機構１６の部分で横搬送された重合背台紙Ｇの１枚ずつを分離して、折り曲げ装置Ｌに向けて縦搬送すべく構成している。
該背台紙合流供給機構１６の部分に、裏側接着剤投入機構Ｂが設けられており、背台紙７における上辺部８の裏面に接当する部分に接着剤Ｓを線状に投入すべく構成している。
【００１５】
次に図６と図７と図８において、穿設装置Ｈの構成を説明する。
該穿設装置Ｈは、重合された重紙片Ａの上辺部８の部分に、ミシン目３と綴じ孔９を同時に穿設するものである。
該綴じ孔９を穿設するのは、回転穿孔突起板１９と回転穿孔受孔板２１である。回転穿孔突起板１９と回転穿孔受孔板２１は、同期して回転する。また、ミシン目３を穿孔するのが、ミシン目穿孔回転板２０である。
該ミシン目穿孔回転板２０も、回転穿孔突起板１９と回転穿孔受孔板２１と同期した回転で回転する。
【００１６】
図８と図９と図１０において、裏側接着剤投入機構Ｂと綴じ孔側接着剤投入機構Ｅの配置を説明する。
前記した穿設装置Ｈの後段の下部に、背台紙供給機構Ｆの斜め後方の上端が配置されており、該部分か背台紙合流供給機構１６を構成している。該背台紙合流供給機構１６と、上辺部８が合流する部分に、裏側接着剤投入機構Ｂを構成する裏側接着剤投入ノズル５が斜め方向に配置されている。該裏側接着剤投入ノズル５から吐出される接着剤Ｓが、背台紙７の上面に線状に塗布されるのである。
また、該背台紙７と上辺部８が合流した部分の後段に、綴じ孔側接着剤投入ノズル４が設けられており、該綴じ孔側接着剤投入ノズル４が綴じ孔側接着剤投入機構Ｅを構成している。
【００１７】
次に図１１と図１２において、本発明のカレンダー帳の自動綴じ装置の接着剤Ｓの投入方法に関する要部を説明する。
図１１において図示する如く、重合された重紙片Ａには、上辺部８の部分にミシン目３と綴じ孔９とを穿設するものである。背台紙７には、綴じ孔側接着剤投入ノズル５により、接着剤が塗布される。そして、重紙片Ａの裏面側より背台紙７が接着剤を塗布されながら、もしくは塗布した状態で供給され、重紙片Ａの上部裏面に接着される。次に、重紙片Ａの上辺部８表面に、綴じ孔側接着剤投入ノズル４により、接着剤が塗布される。そして、背台紙７が折り返されて重紙片Ａの上辺部８表面に接着される。
背台紙７は折り曲げ線２が設けられており、該折り曲げ線２から折り曲げられて、一方が上辺部８の裏面に、他方が上辺部８の表面に接着されるのである。
本発明においては、背台紙７において、折り曲げ線２で折り曲げた場合に、上辺部８の裏面に接着される部分に、予め裏側接着剤投入ノズル５により、接着剤Ｓを線状に塗布するのである。
【００１８】
そして、裏側接着剤投入ノズル５により接着剤Ｓを塗布した状態の上に上辺部８を載せてまず両面を接着し、次に綴じ孔９を穿設した上辺部８の上面から綴じ孔側接着剤投入ノズル４により、再度接着剤Ｓを線状に投入するのである。そして、その綴じ孔側接着剤投入ノズル４により接着剤Ｓを投入した状態の上辺部８の表面に、折り曲げ装置Ｌにより折り曲げ線２において折り曲げた背台紙７の他面を接当させて、ローラー搬送装置Ｍにより押圧した状態を維持して搬送するのである。
【００１９】
以上のようにカレンダー帳の自動綴じ装置を構成したことにより、固結した後の接着剤Ｓは、図１３に図示する如く、表側接着剤１２と裏面側連続接着剤１５が表裏の位置に配置されて、綴じ孔接着剤１４の部分が、表側接着剤１２裏面側連続接着剤１５を架橋するような構成となり、梯子型の固結接着剤Ｓとなるのである。
このように、表側接着剤１２だけではなくて、裏面側連続接着剤１５も連続して固結するので、カレンダーが表側に向けて反り返るということが無くなったのである。
【図面の簡単な説明】
【００２０】
【図１】本発明のカレンダー帳の自動綴じ装置の正面図。
【図２】同じく本発明のカレンダー帳の自動綴じ装置の平面図。
【図３】本発明の背台紙供給機構Ｆの平面図。
【図４】同じく本発明の背台紙供給機構Ｆの上面図。
【図５】同じく本発明の背台紙供給機構Ｆの側面図。
【図６】カレンダー帳の自動綴じ装置の穿設機構Ｄの部分の正面図。
【図７】穿設機構Ｄの部分の拡大側面断面図。
【図８】裏側接着剤投入機構Ｂと綴じ孔側接着剤投入機構Ｅと穿設機構Ｄと背台紙供給機構Ｆの部分の拡大正面図。
【図９】裏側接着剤投入機構Ｂを示す拡大側面図。
【図１０】綴じ孔側接着剤投入機構Ｅを示す拡大側面図。
【図１１】本発明のカレンダー帳の自動綴じ装置において、接着剤Ｓの投入の順序を示す図面。
【図１２】裏側接着剤投入ノズル５と綴じ孔側接着剤投入ノズル４と、背台紙７と綴じ孔９と上辺部８の配置を示す斜視図。
【図１３】本発明の接着剤Ｓの固まった状態を取り出した状態の斜視図。
【図１４】カレンダーが表側に折り曲げ変形した状態の斜視図。
【図１５】従来のカレンダー帳の自動綴じ装置による固結接着剤Ｓの形状を示す図面。
【図１６】従来の固結接着剤Ｓの変形した状態を示す図面。
【符号の説明】
【００２１】
Ａ  重紙片
Ｂ  裏側接着剤投入機構
Ｄ  穿設機構
Ｅ  綴じ孔側接着剤投入機構
Ｆ  背台紙供給機構
Ｇ  重合背台紙
Ｈ  穿設装置
Ｋ  カレンダー紙重合装置
Ｌ  折り曲げ装置
Ｍ  ローラー搬送装置
２  折り曲げ線
３  ミシン目
４  綴じ孔側接着剤投入ノズル
５  裏側接着剤投入ノズル
７  背台紙
８  上辺部
９  綴じ孔
１２  表側接着剤
１３  裏側不連続接着剤
１４  綴じ孔接着剤
１５  裏面側連続接着剤
１６  背台紙合流供給機構
１７  搬送突起
１８  搬送駆動モーター
１９  回転穿孔突起板
２０  ミシン目穿孔回転板
２１  回転穿孔受孔板
【図１】
2005088230.tif 000003
【図２】
2005088230.tif 000004
【図３】
2005088230.tif 000005
【図４】
2005088230.tif 000006
【図５】
2005088230.tif 000007
【図６】
2005088230.tif 000008
【図７】
2005088230.tif 000009
【図８】
2005088230.tif 000010
【図９】
2005088230.tif 000011
【図１０】
2005088230.tif 000012
【図１１】
2005088230.tif 000013
【図１２】
2005088230.tif 000014
【図１３】
2005088230.tif 000015
【図１４】
2005088230.tif 000016
【図１５】
2005088230.tif 000017
【図１６】
2005088230.tif 000018